(57)【特許請求の範囲】
【請求項１】
前面に扉を備えた、複数個の収納室と、
前記扉が開状態であることを検出する扉開検知手段と、
外部に警告音を発する警報手段と、
前記扉開検知手段及び前記警報手段と制御する制御手段とを備え、
前記警報手段は、第１周波数の音を出力するとともに、前記第１周波数の半分以下の周波数の第２周波数の音を出力するものであり、
前記制御手段が、前記扉開検知手段からの情報に基づいて前記扉が一定時間以上開状態であると認識した場合、前記第１周波数の音で警報を発するように前記警報手段を作動させ、前記警報手段が第１周波数の音で警報を始めてから所定の時間経過したのち前記第２周波数の音で警報を発するように前記警報手段を作動させることを特徴とする冷却庫。
【請求項２】
前記第１周波数を４ｋＨｚとする請求項１に記載の冷却庫。
【請求項３】
前記収納室の少なくとも１つの内部には、照明手段が備えられており、
前記制御手段が、前記照明手段を備えた前記収納室の扉が開状態であることに基づき前記警報手段が警報を発するとき、前記照明手段を点滅する請求項１又は請求項２に記載の冷却庫。
【請求項４】
前記冷却庫は外部に面している部分に配置され、前記制御手段に制御される表示手段をさらに備えており、
前記制御手段は、前記警報手段が作動と同時に前記表示手段で警報表示を行う請求項１から請求項３のいずれかに記載の冷却庫。
【請求項５】
前記表示手段は、前記警報手段が前記第１周波数の音で警報を発するときと、前記警報手段が前記第２周波数の音で警報を発するときとで、異なる表示を行う請求項４に記載の冷却庫。
【発明の詳細な説明】
【技術分野】
【０００１】
本発明は、扉の閉め忘れを報知する冷却庫に関するものである。
【背景技術】
【０００２】
冷蔵室、冷凍室等の収納室を含む冷却庫（いわゆる、冷蔵庫）は、収納室に収納する物品を出し入れするためのドアを備えている。前記ドアを確実に閉じることで、収納室内部に外部の温かい空気が流入するのを抑制し、前記収納室内部の温度上昇を抑制している。しかしながら、収納物品の引っ掛かり等で前記ドアが確実に閉じていない場合があり、その場合、前記ドアと前記収納室との隙間から、内部の冷たい空気が抜け、外部の温かい空気が流入し、前記収納室内部の温度が上昇する。
【０００３】
従来、前記冷却庫では、ドアの閉め忘れ又は開放が長時間続くのを抑制するため、前記ドアが一定時間開状態で継続されると、警告音を発し、前記ドアが確実に閉まっていないことを使用者（あるいは、近くにいる人）に報知していた。
【０００４】
また、通常の冷蔵庫では、一般的に人間の聴覚を刺激しやすいとされている周波数（例えば、４ｋＨｚ等の高周波）の音を、警告音として使うものが多い。高周波の音は、聴覚を刺激しやすく、外部の雑音にかき消されにくいので、使用者が前記冷蔵庫から遠くにいる場合でも、警告音を認識しやすい。また、同様の高周波は他の電気機器の警告音としても利用されており、混同しやすいが、高周波は指向性が高い特性を有しており、使用者が音源の場所を特定しやすく、その音が冷蔵庫の警告音であることを認識しやすい。
【０００５】
また、特許第３７７５９３１号公報に記載の冷蔵庫では、ドアの閉め忘れを警告音で報知するとともに、警告音による報知が一定時間継続したのち、前記ドアが開いた（解放された）状態が続くと、冷蔵庫内の庫内灯の点滅も開始するものが開示されている。使用者が、警告音で、ドアの閉め忘れに気づかない場合であっても、前記警報音に加えて、庫内灯が点滅するので、使用者は聴覚と視覚とで警報を知ることができる。より積極的にドアの閉め忘れを報知することができる。
【先行技術文献】
【特許文献】
【０００６】
【特許文献１】特許第３７７５９３１号公報
【発明の概要】
【発明が解決しようとする課題】
【０００７】
人間の聴覚特性は加齢等で変化することが知られており、特に高周波に対する感度は加齢により大きく減衰することが知られている。また、騒音性難聴のように特定の周波数（一般的に聴覚を刺激するとされている４ｋＨｚ近辺の周波数）が聞き取りにくくなる障害もあり、使用者が高齢や特定の周波数が聞き取りにくい聴覚障害を持っている場合、前記冷蔵庫の警報音を認識しにくい。このような場合、冷却庫が警報音を鳴らしても、前記ドア閉め忘れの警報を認識してもらえないこともある。
【０００８】
そのため、高齢者や上述のような聴覚障害者等を含む使用者に警報音を認識してもらうため、予め周波数を下げた警報音を利用する方法が考えられる。これにより、高齢者や上述のような特定周波数が聞き取りにくい聴覚障害のある使用者には、高周波の警報音よりも認識されやすいが、一般的に、周波数が低下すると外部の雑音にかき消されやすく、指向性も低いので、警報音が到達する領域が狭くなったり、警報音の発生源の場所の特定が困難になったりする。
【０００９】
また、特許第３７７５９３１号公報の冷蔵庫のように、聴覚（警告音）に加えて、視覚（庫内灯の点滅）でドアの閉め忘れの報知は有効であるが、庫内灯の点滅は、前記冷蔵庫が設置されている場所の雰囲気が明るい場合、使用者に認識されにくい。また、使用者が直接冷蔵庫を視認できる場所にいない場合、庫内灯の点灯を視認されにくい。
【００１０】
そこで本発明は、使用者にかかわらず、ドアの閉め忘れ或いは開放を効率よく報知することができる警報音を発する冷却庫を提供することを目的とする。
【課題を解決するための手段】
【００１１】
上記目的を達成するために本発明は、前面に扉を備えた、複数個の収納室と、前記扉が開状態であることを検出する扉開検知手段と、外部に警告音を発する警報手段と、前記扉開検知手段及び前記警報手段と制御する制御手段とを備え、前記警報手段は、第１周波数の音を出力するとともに、前記第１周波数とは異なる少なくとも１つの周波数の音を出力するものであり、前記制御手段が、前記扉開検知手段からの情報に基づいて前記扉が一定時間以上開状態であると認識した場合、前記第１周波数の音で警報を発するように前記警報手段を作動させ、前記警報手段が第１周波数の音で警報を始めてから所定の時間経過したのち前記第１周波数と異なる周波数の音で警報を発するように前記警報手段を作動させることを特徴とする冷却庫を提供する。
【００１２】
この構成によると、一方の周波数の音と異なる周波数の音で警報を行うことで、一方の周波数の音が認知しにくい（聞き取りにくい）使用者でも、警報音を認識できる可能性が高くなる。これにより、使用者に関わらず、確実にドア閉め忘れ又は開放の警報を行うことができ、ドア閉め忘れによる物品の劣化や消費電力の増加を抑制することができる。
【００１３】
上記構成において、前記第１周波数と異なる周波数が、前記第１周波数よりも低いものであってもよい。この構成によると、高周波（第１周波数）の音を認知しにくい高齢者や第１周波数の音の認識が困難な聴覚障害者でも、音による警報を認識可能とすることができ、効率よくドア閉め忘れ又は開放の警報を行うことができる。
【００１４】
上記構成において、前記収納室の内部には、照明手段が備えられており、前記制御手段が、前記警報手段が警報を発するとき、その音にあわせて前記照明手段を点灯するようにしてもよい。
【００１５】
上記構成において、前記制御手段が、前記警報手段が前記第１周波数と異なる周波数の音で警報を始めてから所定の時間経過したのち、前記第１周波数の音で警報を発するように前記制御手段を作動させるようにしてもよい。
【００１６】
上記構成において、前記冷却庫は外部に面している部分に配置され、前記制御手段に制御される表示手段をさらに備えており、前記制御手段は、前記警報手段が作動と同時に前記表示手段で警報表示を行うようにしてもよい。
【発明の効果】
【００１７】
本発明によると、異なる周波数の音で警報を行うことで、多くの使用者にドアの閉め忘れ又は開放を認識させることができる。これにより、ドアが開状態によって、内部の物品が劣化したり、消費電力を低減したりできる。
【図面の簡単な説明】
【００１８】
【図１】本発明にかかる冷却庫の概略図である。
【図２】図１に示す冷却庫の断面図である。
【図３】本発明にかかる冷却庫の制御ブロック図である。
【図４】本発明にかかる冷却庫のドア閉め忘れ警報動作を示すフローチャートである。
【図５】本発明にかかる冷却庫のドア閉め忘れ警報動作の他の例を示すフローチャートである。
【発明を実施するための形態】
【００１９】
以下に本発明の実施形態について図面を参照して説明する。図１は本発明にかかる冷却庫の概略図であり、図２は図１に示す冷却庫の断面図である。なお、図２に示す冷却庫Ａでは、上段冷凍室２２の図示が省略されている。
【００２０】
冷却庫Ａは、発泡ウレタン等の断熱材を壁部に充填した断熱箱体である。図１に示すように、冷却庫Ａは、物品を低温で収納する収納室として、冷蔵室１０、製氷室１１、上段冷凍室１２、下段冷凍室１３及び野菜室１４を備えている。なお、これら以外の収納室を備えていてもよいし、これらの収納室を別の目的の収納室に切り替えて（例えば、上段冷凍室１２を野菜室として利用して）もよい。
【００２１】
図１に示すように、冷却庫Ａでは、最上段に冷蔵室１０が配置されており、冷蔵室１０は前面に冷蔵室ドア１０１を備えている。冷蔵室１０の下には、製氷室１１と、上段冷凍室１２とが配置されている。製氷室１１及び上段冷凍室１２は前面に、それぞれ、製氷室ドア１１１及び上段冷凍室ドア１２１が備えられている。図１に示すように、製氷室１１及び上段冷凍室１２とは、左右に並んで配置されている。
【００２２】
製氷室１１及び上段冷凍室１２の下には、上段冷凍室１２よりも大容量の下段冷凍室１３が配置されている。下段冷凍室１３は前面に下段冷凍室ドア１３１を備えている。さらに、下段冷凍室１３１の下に野菜室１４が配置されている。野菜室は前面に野菜室ドア１４１を備えている。
【００２３】
図２に示すように冷却庫Ａでは、冷蔵室１０、製氷室１１、上段冷凍室１２、下段冷凍室１３及び野菜室１４は断熱体でおおわれている。冷却庫Ａの背面及び下方には、各内部を冷却する圧縮式冷凍装置２（冷却手段）が備えられている。圧縮式冷凍装置２は、圧縮機２１や蒸発器２２、凝縮器、切替弁及び熱交換装置（いずれも不図示）を備え、内部に冷媒が封入された冷凍サイクルである。圧縮機２１の詳細は省略するが、既知のインバータから電力が供給されており、回転数を調整することが可能な構成となっている。
【００２４】
また、図２に示しているように、冷却庫Ａの背面にはダクト１６が形成されている。蒸発器２２において冷却された空気は、不図示のファンによって、ダクト１６を介して、冷蔵室１０、製氷室１１、上段冷凍室１２、下段冷凍室１３及び野菜室１４の各収納室に供給される。冷却された空気が各収納室に流入することで、各収納室は冷却される。そして、各収納室を冷却した空気はダクト１６の冷蔵室１０に流入するときと別のルートを介して蒸発器２２に還流される。このようにして、各収納室の内部は冷却される。
【００２５】
冷却庫Ａのダクト１６には、蒸発器２２で冷却された空気が冷蔵室１０に流入するのを制限するためのダンパー１７が備えられている。ダンパー１７は低温の空気の流れを調整し、冷蔵室１０の温度が低くなりすぎないようにするものである。
【００２６】
本発明にかかる冷却庫についてさらに詳しく説明する。図３は本発明にかかる冷却庫の制御ブロック図である。図３に示すように、冷却庫Ａには、圧縮機２１を制御する制御回路３が備えられている。制御回路３０には、圧縮機２１以外にも、扉開検知手段として各収納室に備えられたＲドアスイッチ１０２、Ｉドアスイッチ１１２、Ｆ１ドアスイッチ１２２、Ｆ２ドアスイッチ１３２、Ｖドアスイッチ１４２、警報ブザー４（警報手段）、ＬＥＤ５、記憶部３１、操作部３２及び表示部３３が接続されている。なお、これら以外に接続されるものがあってもよい。
【００２７】
以下に、上述した各部について説明したのち、制御回路３による冷却庫Ａのドア閉め忘れ警報を発信する動作について説明する。冷却庫Ａにおいて、上述した各収納室（冷蔵室１０、製氷室１１、上段冷凍室１２、下段冷凍室１３及び野菜室１４）のドアが開かれると、外気が流入し（内部の冷気が流出し）収納室内部の温度が上昇してしまう。そこで、冷却庫Ａには、ドアの開閉を検知するドアスイッチが備えられている。
【００２８】
Ｒドアスイッチ１０２は、冷蔵室ドア１０１が開かれるとＯＮになるスイッチである。同様に、Ｉドアスイッチ１１２は製氷室ドア１１１、Ｆ１ドアスイッチ１２２は上段冷凍室ドア１２１、Ｆ２ドアスイッチ１３２は下段冷凍室ドア１３１及びＶドアスイッチ１４２は野菜室ドア１４１のそれぞれのドアが開いたときにＯＮになるスイッチである。そして、各スイッチはＯＮになると、ＯＮになった情報を制御回路３０に送信する。
【００２９】
警報ブザー４は、外部にむかって、電子音を発信する機器であり、第１の周波数の音と第１の周波数と異なる第２の周波数の音とを発信できる構成を有している。ここで、第１周波数と第２周波数について説明する。冷却庫Ａにおいて、第１周波数は、多数の使用者にとって、聴覚感度の高く、さらに指向性が高い、高周波（例えば、４ｋＨｚ）を採用している。警報ブザー４が第１周波数の音を発信することで、聴覚感度が高いので、多数の使用者に警報がなされていることを効率よく知らせることができる。また、指向性の高さから警報音を知覚した使用者が、音の発信源の場所の特定を容易に行うことができる。
【００３０】
一方で、人間の聴覚は、高齢になるほど高周波の音を聞き取りにくくなる傾向にある。また、特定の周波数の音の認識が困難な聴覚障害（例えば、騒音性難聴）が知られており、第１周波数の警告音では、認識されにくい場合がある。そのため、警報ブザー４は、第１周波数よりも低い周波数（例えば、２ｋＨｚ）の音を発信できる構成を有している。なお、冷却庫Ａにおいて警報ブザー４は、異なる２つの周波数の音を発信できる構成としているが、さらに多くの異なる周波数の音を発信できるものであってもよい。
【００３１】
ＬＥＤ５は冷蔵室１０の内部に配置されており、通常、冷蔵室１０の内部の照明として用いられる。そして、冷蔵室ドア１０１が開かれているときに、点灯する。
【００３２】
冷却庫Ａには、使用者が冷却庫Ａの運転設定を行うための操作部３２が備えられている。操作部３２は、使用者が収納室それぞれの設定温度を変更したり、後述の運転モードの切り替えを行ったりするための入力装置である。操作部３２は、使用者により操作されることで、制御回路３０に使用者の所望する操作の内容の情報を送信する。詳しく説明すると、操作部３２は不図示の操作スイッチを備え、操作スイッチのオンオフによって使用者の所望する操作の内容を検出し、その情報を制御回路３０に送る構成となっている。また、操作スイッチ以外にも、使用者が入力しやすいものを広く採用することができる（例えば、操作部の一部が表示部３３に表示され、使用者が手指又は専用の器具で触れることで入力するタッチパネル等を用いてもよい）。
【００３３】
表示部３３は、冷却庫Ａの運転状態（後述する運転モード）、各収納室内部の温度状態、操作部３２の情報（使用者による入力の情報）等、各種情報を表示する。表示部３３は、液晶パネル（不図示）、ＬＥＤ（不図示）等を用いてもよいし、これらを組み合わせて用いてもよい。冷却庫Ａの情報を素早く確認することができるものを広く採用することができる。なお、操作部３２の部分でも触れているが、タッチパネル式の液晶パネルを利用して、操作部３２と表示部３３とを一体的に形成するものであってもよい。
【００３４】
記憶部３１は、読書き可能なＲＡＭ、読み出し専用のＲＯＭ又は物理的に着脱可能なフラッシュメモリ等のメモリが用いられている。冷却庫Ａの運転に必要なデータが予め記憶されていたり、制御回路３０が取得した情報を一時的に格納したりするためのストレージデバイスである。なお、記憶部３１は、制御回路３０に含まれる構成であってもよい。
【００３５】
制御回路３０は以上に示したような、複数の部分より情報を取得するとともに、冷却庫Ａの各部の運転を支持する回路である。制御回路３０には、マイコン等の演算処理装置を備えている。また、制御回路３０には冷却庫Ａの運転の基準となる時間を管理するタイマー回路３０１と、Ｒドアスイッチ１０２及びＦドアスイッチ１３２の開閉回数をカウントするドア開閉カウンタ３０２とを備えている。また、これら以外にも、上述の各部からの情報を整理するための回路や、各部の運転を容易にする回路を備えていてもよい。さらに、記憶部３１に制御用プログラムを格納しておき、そのプログラムを読み出して、各部の制御を行う構成の制御回路であってもよい。
【００３６】
次に、本発明にかかる冷却庫Ａの動作について図面を参照して説明する。図４は本発明にかかる冷却庫のドア閉め忘れ警報動作を示すフローチャートである。本発明にかかる冷却庫Ａにおいて、制御回路３０は、収納室のドア（冷蔵室ドア１０１、製氷室ドア１１１、上段冷凍室ドア１２１、下段冷凍室ドア１３１及び野菜室ドア１４１）のいずれか一つのドアが開状態で一定時間経過すると、警報ブザー及び（又は）ＬＥＤで警報する制御を行う。  また、以下の説明で単に「ドアの開閉」と称する場合、上述のいずれかの収納室ドアの開閉を示すものとする。また、以下の説明において、複数のドアが同時に開かれている瞬間がある場合、ドア開の時間は、最初に開かれたドアが、開状態になったときからの時間とし、ドア閉は最後のドアが閉じられたときとする。
【００３７】
冷却庫Ａは、ドアが開いていると収納室の内部を循環している冷却された空気が外部に漏れたり、外部の温かい空気が内部に流入したりし、収納室内部の温度が上昇する。ドアが一定時間ｔ１以上開いていると、収納室の温度が内部の物品の保存に必要な温度以上になる場合がある。また、冷却庫Ａのドアは、使用者が完全に閉めたつもりであっても、閉じるときの力が不十分であったり、内部の物品が引っかかったりして、ドアが不完全に閉じられている場合があり、使用者が気づかないうちに収納室の温度が上昇してしまうことがある。そのため、制御回路３０は警告ブザー４を利用して、ドアの閉め忘れの警報を行う。
【００３８】
まず、制御回路３０は各ドアに近接して配置されているドアスイッチ（１０２、１１２、１２２、１３２、１４２）からのドア開の情報が入力されたかどうか確認する（ステップＳ１０１）。制御回路３０はドア開を確認すると、タイマー回路３０１よりドアスイッチからドア開の情報が入力された時間を取得し、ドア開開始時間として記憶する（ステップＳ１０２）。制御回路３０はドア開を確認した後、制御回路３０はドア開の継続時間が一定時間ｔ１を超えたかを確認する（ステップＳ１０３）。
【００３９】
ドア開の継続時間が一定時間ｔ１を超えていない場合（ステップＳ１０３でＮｏの場合）、制御回路３０はドアが閉じられたかどうか確認する（ステップＳ１０４）。ドアスイッチからのドア閉の情報が受信された場合（ステップＳ１０４でＹＥＳの場合）、制御回路３０はドアが確実に閉じられたと認識し、ドア開の確認（ステップＳ１０１に戻る）。ドア閉の情報が受信されない場合（ステップＳ１０４でＮｏの場合）、制御回路３０はドアが閉じられていないと判断し、ドア開から一定時間ｔ１経過したかの確認に戻る（ステップＳ１０３）。
【００４０】
ドア開から一定時間ｔ１経過した場合（ステップＳ１０３でＹｅｓの場合）、制御回路３０は使用者にドアが開いている警告を行う必要があると判断し、制御回路３０は第１周波数で警報音を発信するように警報ブザー４を駆動する（ステップＳ１０５）。これにより、冷却庫Ａは、ドアが開かれていることを、使用者に報知する。なお、警報音は、特定の周波数の音を連続して発信するものも考えられるが、ここでは、一定の周期で発信停止を切り替える、すなわち、断続的な音を発信するものである。
【００４１】
警報ブザー４より、第１周波数で警報音が発信されているとき、制御回路３０はドアが閉じられたかどうか確認する（ステップＳ１０６）。ドアが閉じられた場合（ステップＳ１０６でＹｅｓの場合）、制御回路３０は警報ブザー４の動作を停止し（ステップＳ１０７）、ドア開の確認（ステップＳ１０１）に戻る。
【００４２】
ドアが閉じられない場合（ステップＳ１０６でＮｏの場合）、制御回路３０は第１周波数の音で警報を開始してから一定時間ｔ２経過したかどうか確認する（ステップＳ１０８）。第１周波数の音で警報を開始してから一定時間ｔ２経過していない場合（ステップＳ１０８でＮｏの場合）、制御回路３０はドアが閉じられたかどうかの確認（ステップＳ１０６）に戻る。
【００４３】
第１周波数の音による警報が一定時間ｔ２連続して行われる（ステップＳ１０８でと、制御回路３０は使用者が第１周波数の音を認知困難であると判断し、第１周波数よりも低い第２周波数の音で警報を開始する（ステップＳ１０９）。その後、制御回路３０は、ドアが閉じられたかどうかの確認に戻る（ステップＳ１０６）。なお、図示は省略しているが、第２周波数の音で警報を開始した後にドアが閉じられたかどうかの確認の後は、第１周波数の音で警報を開始してから一定時間ｔ２経過したかどうかの確認（ステップＳ１０８）を省略する構成であっても良い。
【００４４】
このように、ドアが開状態で、一定時間ｔ１経過した後に、多数の使用者において、聴覚感度が高い第１周波数で警報を行うことで、使用者に効率よくドアが開状態である警報を行うことができる。また、第１周波数の音による警報が開始されてからさらに一定時間ｔ２経過した後に第１周波数よりも低い第２周波数で警報することで、第１周波数の音を認知困難な使用者（高齢者、第１周波数の音の認識が困難な聴覚障害者）に対しても、ドアが開状態である警報を効率よく行うことができる。このことから、多くの使用者に対して効率よくドアが開状態であることの警報をし、ドアが開状態であることで収納室の温度が上昇するのを抑制でき、消費電力の低減を行うことができる。
【００４５】
なお、第２周波数の音で警報を介してから一定時間経過後、再度第１周波数の音で警報するようにしてもよい。すなわち、第１周波数の音による警報と第２周波数の音による警報が交互に行われるようにしてもよい。また、第２周波数よりもさらに低い周波数の音を発信できるようにしておき、第２周波数の音で一定時間警報したのち、さらに低い周波数の音で警報するようにしてもよい。この場合も、第１周波数、第２周波数及びさらに低い周波数で順番に警報するようにしてもよい。
【００４６】
本発明にかかる冷却庫Ａの動作の他の例について図面を参照して説明する。図５は本発明にかかる冷却庫のドア閉め忘れ警報動作の他の例を示すフローチャートである。なお、第１周波数の音で警報を行うまで（ステップＳ２０１〜ステップＳ２０５）は、図４に示すフローチャートにおける動作（ステップＳ１０１〜ステップＳ１０５）と同じであるので詳細は省略する。
【００４７】
冷却庫Ａでは、表示部３３にドアが開状態であることを表示するようにしている。さらに、冷蔵室１０の内部に配置されている照明装置であるＬＥＤ５を警報音に合わせて点滅させるようにしている。なお、ＬＥＤ５は冷蔵室１０が開かれているときに点灯するものであるので、冷蔵室ドア１０１が閉状態で、それ以外のドアの少なくともひとつが開状態である場合には、ＬＥＤ５は点灯しない。
【００４８】
このことを考慮して、第１周波数の音で警報を開始した後（ステップＳ２０５の後）、制御回路３０はＬＥＤ５が点灯中かどうか確認する（ステップＳ２０６）。ＬＥＤ５が点灯中の場合（ステップＳ２０６でＹｅｓの場合）、冷蔵室ドア１０１が開いておりＬＥＤ５からの光が外部に漏れるので、制御回路３０はＬＥＤ５を警報音に合わせて点滅させる（ステップＳ２０７）。これにより音による警報に加えて、光による警報も行われる。ＬＥＤ５を警報音に合わせて点滅を開始した後、ドアが閉じられたかどうか確認する。
【００４９】
ＬＥＤ５が点灯していないと、冷蔵室ドア１０１が閉じられているとＬＥＤ５からの光が外部に漏れないので、音による警報のみをおこなう。すなわち、ＬＥＤ５が点灯していない場合（ステップ２０６でＮｏの場合）、ドアが閉じられたかどうか確認する（ステップＳ２０８）。ドアが閉じられた場合（ステップＳ２０８でＹｅｓの場合）、制御回路３０は警報ブザー４の動作を停止し（ステップＳ２０９）、ドア開の確認（ステップＳ２０１）に戻る。
【００５０】
ドアが閉じられない場合（ステップＳ２０７でＮｏの場合）、制御回路３０は第１周波数の音で警報を開始してから一定時間ｔ２経過したかどうか確認する（ステップＳ２１０）。冷却庫Ａにおいて、複数のドアが開かれている場合もあり、その場合において冷蔵室ドア１０１のみが閉じられると警報音による警報は継続し、ＬＥＤ５による警報は停止される。そのため、第１周波数の音で警報を開始してから一定時間ｔ２経過していない場合（ステップＳ２１０でＮｏの場合）、ＬＥＤ５が点灯中かどうかの確認（ステップＳ２０６）に戻る。
【００５１】
第１周波数の音による警報が一定時間ｔ２連続して行われる（ステップＳ２１０でＹｅｓ）と、制御回路３０は使用者が第１周波数の音を認知困難であると判断し、第１周波数よりも低い第２周波数の音で警報を開始する（ステップＳ２１１）。その後、制御回路３０は、ＬＥＤ５が点灯中かどうかの確認に戻る（ステップＳ２０６）。なお、図示は省略しているが、第２周波数の音で警報を開始した後にドアが閉じられたかどうかの確認の後は、第１周波数の音で警報を開始してから一定時間ｔ２経過したかどうかの確認（ステップＳ２１０）を省略する構成であっても良い。
【００５２】
なお、第２周波数の音で警報を介してから一定時間経過後、再度第１周波数の音で警報するようにしてもよい。すなわち、第１周波数の音による警報と第２周波数の音による警報が交互に行われるようにしてもよい。また、表示部３３で警報表示を行う場合、第１周波数の音で警報しているときと、第２周波数の音で警報しているときとで異なる表示する（例えば、異なる色のＬＥＤを発光する、表示装置が液晶表示装置である場合バックライトの色を変える）ようにしてもよい。
【００５３】
以上のように、ドアが開状態で、一定時間ｔ１経過した後に、多数の使用者において、聴覚感度が高い第１周波数で警報を行うことで、使用者に効率よくドアが開状態である警報を行うことができる。また、第１周波数の音による警報が開始されてからさらに一定時間ｔ２経過した後に第１周波数よりも低い第２周波数で警報することで、第１周波数の音を認知困難な使用者（高齢者、第１周波数の音の認識が困難な聴覚障害者）に対しても、ドアが開状態である警報を効率よく行うことができる。このことから、多くの使用者に対して効率よくドアが開状態であることの警報をし、ドアが開状態であることで収納室の温度が上昇するのを抑制でき、消費電力の低減を行うことができる。
【００５４】
また、上記実施形態において、第１周波数を高く、第２周波数を低く設定しているが、その逆、例えば、第１周波数を２ｋＨｚ、第２周波数をそれよりも高い４ｋＨｚとしてもよい。さらに、２種類の周波数に限定されるものではなく、３種類以上の周波数の音を出力するようにしてもよい。
【００５５】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【００５６】
本発明にかかる、冷却庫は一般家庭に備えられる冷蔵庫として利用可能である。
【符号の説明】
【００５７】
Ａ  冷却庫
１０  冷蔵室
１０１  冷蔵室ドア
１０２  Ｒドアスイッチ
１１  製氷室
１１１  製氷室ドア
１１２  Ｉドアスイッチ
１２  上段冷凍室
１２１  上段冷凍室ドア
１２２  Ｆ１ドアスイッチ
１３  下段冷凍室
１３１  下段冷凍室ドア
１３２  Ｆ２ドアスイッチ
１４  野菜室
１４１  野菜室ドア
１４２ Ｖドアスイッチ
１６  ダクト
１７  ダンパー
２  冷却装置
２１  圧縮機
２２  蒸発器
３０  制御回路
３１  記憶部
３２  操作部
３３  表示部  
４  警報ブザー
５  ＬＥＤ
【図１】
0005749598.tif 000002
【図２】
0005749598.tif 000003
【図３】
0005749598.tif 000004
【図４】
0005749598.tif 000005
【図５】
0005749598.tif 000006